(57)【要約】      （修正有）【課題】病院環境内の場所間で乳児患者を搬送するために使用する患者移送装置を提供する。【解決手段】患者移送装置１０は、中央支持部１２と、互いに接触して移動して乳児患者を囲むことのできる一対の側部１４、１６とを備える。第１および第２の側部はそれぞれ、互いに近接されて、臨床医が片手で掴むことのできるハンドル３６を備える。患者移送装置は、中央部内に位置して搬送中に乳児患者を支持する補強装置を備える。押さえ装置は、第１および第２の側部の一方または両方に設けられて、乳児患者の搬送中に、乳児患者に接続されたチューブおよびワイヤをしっかりと保持する。【選択図】図１
2014004362.tif 000002
【特許請求の範囲】
【請求項１】
乳児患者の移動中に前記患者を支持するための移送装置（１０）であって、
前記患者の真下に位置可能な中央支持部（１２）と、
前記中央支持部内に位置して、移動中に前記患者を支持する補強装置（５８）と、
前記中央支持部に接続され、第１のハンドル（３６）を備える第１の側部（１４）と、
前記中央支持部に接続され、第２のハンドル（３８）を備える第２の側部（１６）であって、前記第１および第２のハンドルを互いに隣接して位置させて、前記第１および第２の側部が前記患者を囲むように、前記第１および第２の側部が互いに向けて移動可能である、第２の側部（１６）とを備えた移送装置。
【請求項２】
前記中央支持部が、前記補強装置を取外し可能に受ける大きさの受けポケット（６０）を備える、請求項１記載の移送装置。
【請求項３】
前記補強装置が取外し可能な背板（６６）である、請求項２記載の移送装置。
【請求項４】
前記背板が長手軸に沿って延び、前記背板が前記長手軸に沿って撓み、前記長手軸に対して横方向に撓まない、請求項３記載の移送装置。
【請求項５】
前記第１および第２の側部の少なくとも一方が、前記患者に取り付けられたチューブおよびワイヤを受けて固定する押さえ装置（５６）を備える、請求項１記載の移送装置。
【請求項６】
乳児患者の移動中に前記患者を支持するための移送装置（１０）であって、
前記患者の真下に位置可能な中央支持部（１２）と、
前記中央支持部内に取外し可能に位置する補強装置（５８）と、
前記中央支持部に接続された第１の側部（１４）と、
前記中央部に接続された第２の側部（１６）であって、前記患者が前記中央部にいるときに前記第１および第２の側部を互いに向けて折り返すと、前記第１および第２の側部が前記乳児患者を囲む大きさになる、第２の側部（１６）と、
前記第１および第２の側部に形成された少なくとも１つのハンドル（３６、３８）であって、前記第１および第２の側部が前記患者を囲むときに、前記乳児患者を持ち上げるために掴める大きさであるハンドル（３６、３８）とを備えた移送装置。
【請求項７】
前記第１および第２の側部の少なくとも一方に形成された押さえ装置（５６）をさらに備えた、請求項６記載の移送装置。
【請求項８】
前記補強装置が取外し可能な背板である、請求項６記載の移送装置。
【請求項９】
前記第１の側部が第１のハンドル（３６）を備え、前記第２の側部が第２のハンドル（３８）を備える、請求項８記載の移送装置。
【請求項１０】
前記中央部に形成され、前記取外し可能な背板を受ける大きさの受けポケット（６０）をさらに備える、請求項８記載の移送装置。
【請求項１１】
乳児患者を搬送する方法であって、
中央支持部と、前記中央部に接合された第１および第２の側部とを備える移送装置を前記患者の真下に位置させるステップであって、前記乳児が前記中央支持部上に位置するステップと、
補強装置を前記中央部内に挿入するステップと、
前記第１および第２の側部の両方を持ち上げて、前記乳児患者を囲むステップと、
前記第１の側部に形成された第１のハンドルと、前記第２の側部に形成された第２のハンドルとを掴むステップと、
前記移送装置と前記乳児患者とを持ち上げるステップとを含む方法。
【請求項１２】
前記補強装置が、前記中央部に形成されたポケット（６０）に挿入された背板（６６）である、請求項１１記載の方法。
【請求項１３】
前記補強装置が第１の軸に沿って撓み、第２の横軸に沿って撓まない、請求項１２記載の方法。
【請求項１４】
チューブを固定し、前記第１および第２の側部を持ち上げる前に、前記患者から前記第１および第２の側部の一方へ延びるワイヤを監視するステップをさらに含む、請求項１１記載の方法。
【請求項１５】
前記第１および第２の側部の一方が、前記チューブおよびワイヤを固定するために使用される押さえ装置（５６）を備える、請求項１４記載の方法。
【発明の詳細な説明】
【技術分野】
【０００１】
本開示は、一般に、乳児患者を移動するための装置に関する。より詳細には、本開示は、移動中に乳児患者を支持するために使用可能であり、患者に与える刺激を最小にして必要な患者の支持を行う乳児移送装置（スリング）に関する。
【背景技術】
【０００２】
現在、乳児患者を保育器またはベッドから移送するために使用される標準的な方法として、看護師または他の医師が、乳児患者の下に片手（または両手）を慎重に滑り込ませて、患者を手で持ち上げている。看護師の身体が乳児患者に接触すると、患者にしばしば刺激を与え、危険性の高い患者の場合には、乳児患者に望ましくないストレスを生じさせることになる。加えて、看護師が乳児患者を持ち上げると、患者に接続されている複数の線（点滴、心電図リード線、気管内チューブ等）の１つまたは複数に看護師がひっかかる危険が高い。乳児患者に接続されたチューブにひっかかったり、チューブが外れたりする可能性により、持上げ手順の間の乳児患者に対する危険が高まるおそれがある。
【先行技術文献】
【特許文献】
【０００３】
【特許文献１】米国特許出願公開第２０１１／００２１８８６号明細書
【発明の概要】
【０００４】
本開示は、乳児患者を移動するための患者移送装置に関する。患者移送装置は、患者をしっかりと保持し、患者に接続されたワイヤおよびチューブの安定性を確保しながら、臨床医が片手だけで患者を移動できるようにする。
【０００５】
患者移送装置は、患者の真下に位置する中央支持部を備える。第１および第２の側部がそれぞれ中央支持部に接続される。第１の側部は第１のハンドルを備え、第２の側部は第２のハンドルを備える。乳児患者を中央支持部上で支持すると、第１および第２の側部を上方および互いに向けて移動させて、第１および第２のハンドルを互いに近接して位置させることができる。第１および第２のハンドルが互いに近接して位置すると、臨床医は片手で第１および第２のハンドルを掴んで、患者が患者移送装置に支持された状態で患者を移動することができる。
【０００６】
患者移送装置は、中央支持部内に位置して、移動中に乳児患者を撓まずに支持することができる補強装置をさらに備える。本開示の一実施形態では、補強装置が、中央支持部に形成されたポケット内で受けられる背板である。必要および希望に応じて、背板を選択的に取り外すことができ、中央部に挿入することができる。好ましくは、背板は長手軸に沿って延び、背板は長手軸に沿って撓み、長手軸に対して横方向に撓まない。背板の剛性により、移動中に患者の脊椎を支持し、かつ第１および第２の側部が互いに対して移動して、搬送中に患者をしっかりと包むことができる。
【０００７】
患者移送装置は、第１および第２の側部の一方に位置する押さえ装置をさらに備える。押さえ装置は、患者に接続されたワイヤおよびチューブを受けて保持し、ワイヤおよびチューブが患者の搬送中にしっかりと保持されるようにする。種々のタイプの押さえ装置が本開示の範囲内にあると考えられる。一実施形態は、第２の側部に接続されてチューブおよびワイヤを定位置に保持可能な材料の一部を含む。
【０００８】
本発明の種々の他の特徴、目的、および利点が、図面とともに以下の説明を読むことにより明らかになろう。
【０００９】
図面は、現在考えられる、本開示を実施する最良の形態を示す。
【図面の簡単な説明】
【００１０】
【図１】本開示の患者移送装置の第１の実施形態の正面斜視図である。
【図２】乳児が支持された状態の、患者移送装置の第１の実施形態の正面斜視図である。
【図３】乳児患者を移動するための移送装置の使用を示す図である。
【図４】患者移送装置の第２の代替形態の正面斜視図である。
【図５】患者移送装置の背面図である。
【図６】乳児患者を支持するために使用される患者移送装置の代替形態の図である。
【図７】本開示の移送装置を使用した乳児患者の搬送を示す図である。
【図８】移送装置内の背板の挿入を示す部分断面図である。
【発明を実施するための形態】
【００１１】
図１は、本開示の患者移送装置１０を示す。患者移送装置１０を使用して、臨床医と乳児患者との身体的接触を最小限にし、移動中に患者をしっかりと支持しながら、患者を１つの場所から別の場所へ移送することができる。
【００１２】
図１に示すように、患者移送装置１０は、中央部１２と、第１の側部１４と、第２の側部１６とを備える。図１に示す実施形態では、患者移送装置が、中央側部の一部をそれぞれ形成する内側ライナ１８と外側ライナ２０とを備える。内側ライナ１８および外側ライナ２０は図１に別個の部品として示されているが、内側および外側ライナ１８、２０を、中央部１２と第１および第２の側部１４、１６とを形成する単一の層として組み合わせてもよいことを理解されたい。図１に示す実施形態では、内側ライナ１８が、柔軟な発泡材料から形成され、一対の離間した取付線２２に沿って外側ライナ２０に接合される。外側ライナ２０を、内側ライナ１８と比べてわずかに剛性で耐久性のある材料から形成することができる。図２に示すように、乳児患者２４を内側ライナ１８上に置くことができ、側部の一部を形成する内側ライナ１８の両側が、患者２４の上に折り返されて、図示したように患者を囲む。
【００１３】
図１に示す実施形態では、内側ライナ１８が、端ファスナ２８を有する延長端部２６を備える。図２に示すように患者が内側ライナ上に支持されると、端部２６の一部として形成された端ファスナ２８が第２のファスナ３０に沿って受けられる。図１および２に示す実施形態では、ファスナ２８、３０が、Ｖｅｌｃｒｏ（登録商標）等の面ファスナの対向部分である。ファスナ２８、３０間の物理的な係合により、図２に示す状態で、端部２６が内側ライナ１８を折り返すことができる。図１および２の実施形態で面ファスナが示されているが、本開示の範囲内にありながら、異なるタイプのファスナを使用してもよいことを理解されたい。あるいは、やはり本開示の範囲内にありながら、端部２６はなくてもよい。
【００１４】
図１に戻ると、ファスナ３０は、内側ライナ１８の内面３２に固定され、内側ライナの第２の側部が乳児患者を包んだ後にのみ露出される。ファスナ３０に加えて、上側ファスナ部３４も内面３２に沿って位置する。上側ファスナ部３４は、内側ライナ１８の第１の側部１４に沿って形成された嵌合ファスナ３６により係合される。ファスナ３４、３６は、Ｖｅｌｃｒｏ（登録商標）等の面ファスナの嵌合部分ともなり得る。ファスナ３４、３６により、図２に示す状態で、内側ライナ１８の第１および第２の側部の保持を助ける。図１および２の実施形態で面ファスナが示されているが、本開示の範囲内にありながら、他のタイプのファスナを使用してもよいことを理解されたい。
【００１５】
図２に示すように、第１の側部１４の一部を形成する外側ライナ２０の一部は第１のハンドル３６を備え、第２の側部１６の一部を形成する外側ライナ２０の一部は第２のハンドル３８を備える。図２に示す実施形態では、第１および第２のハンドル３６、３８が外側ライナ２０のみに形成され、開放内部４２を形成するプラスチック製の外側ハウジング４０により画定される。
【００１６】
図３に見られるように、乳児患者２４が移送装置１０に沿って支持されると、臨床医４４は片手４６で一対のハンドル３６、３８を掴んで乳児患者を持ち上げ、搬送および移動を行うことができる。図２および３で理解できるように、第１および第２の側部１４、１６の大きさは、第１および第２のハンドル３６、３８を互いに十分に近付けて、片手４６で患者移送装置１０全体を掴みやすくするように決められる。
【００１７】
図２に戻ると、図示した実施形態では、第１および第２のハンドル３６、３８の一方にストラップ４８を取り付けて、患者２４の搬送中にハンドルを共に固定するために使用することができる。可撓性ストラップ４８が図２に示されるが、本開示の範囲内にありながら、種々の他のタイプのストラップを使用してもよい。あるいは、ストラップ４８はなくてもよい。
【００１８】
図２に示すように、搬送が必要な患者２４には、一連のチューブ５０およびワイヤ５２が取り付けられていることが多い。ワイヤおよびチューブ５０、５２は、しばしば患者に挿入されるか、患者の特定の箇所に接続されているため、移動中にチューブおよびワイヤを妨げないようにすることが望ましい。したがって、チューブおよびワイヤが搬送中に患者２４から外れないようにするために、あるタイプの押さえ装置が必要である。図２に示す実施形態では、搬送装置の第１および第２の側部１４、１６の一方に押さえ装置５４が形成される。図４の実施形態では、粘着テープ５６の一部が、第２の側部１６で外側ライナ２０の内面に取り付けられる。図２に粘着テープ５６が示されているが、他のタイプの押さえ装置５４が本開示の範囲内にあると考えられる。例えば、押さえ装置５４は、面ファスナの一部、ボタン留めのストラップ、可撓性材料の一部、または図示したようにチューブおよびワイヤ５０、５２を安全な位置で保持するために使用可能な他のタイプの装置とすることができる。
【００１９】
図２に示す実施形態では、患者移送装置１０の中央部１２に形成されたポケット６０に、補強装置５８が挿入された状態で示される。補強装置５８は通常、患者の頭に近い第１の端部６２から患者の足に近い第２の端部６４までの中央部１２の全長に延びる。補強装置５８は患者移送装置１０に必要な硬さを与え、患者移送装置１０を使用して患者を支持するときに、補強装置５８によって、第１および第２の側部１４、１６が患者２４の上で折り畳まれないようにする。加えて、補強装置５８は移送装置１０に必要な硬さを与えて、移送装置および患者が、第１の端部６０および第２の端部６２間の長手方向に折り畳まれないようにする。
【００２０】
図１および２に示す実施形態では、補強装置５８がポケット６０内で受けられる背板であり、第１の端部６２から第２の端部６４まで患者移送装置１０の全長に延びる。好ましくは、背板６６は必要な硬さ、耐久性、および大きさを有するプラスチック材料から形成されて、乳児患者２４に対して必要な支持を行う。背板６６に最も好ましい材料としてプラスチックが記載されているが、本開示の範囲内にありながら、他の材料を使用してもよいと考えられる。
【００２１】
あるいは、取外し可能な補強装置５８および縫い込まれたポケット６０の代わりに、他のタイプの補強装置を使用してもよい。例として、一連の膨張可能なチューブを中央部１２内に形成して、患者２４が移送装置１０上にいて移動させる必要があるか否かに応じて選択的に膨張／収縮させることができるようにする。種々の他のタイプの補強装置も本開示の範囲内にあると考えられる。補強装置５８の使用は、移動中に乳児患者２４をしっかりと安定して支持するために重要であると考えられる。
【００２２】
図４および５は、本開示の患者移送装置１０の第２の実施形態を示す。図４および５に示す第２の実施形態では、補強装置５８が、中央部１２に形成されたポケット６０の内外に、矢印６８に示す方向で移動可能な背板６６である。図４に示す実施形態では、第１の側部１４が、内側ライナ１８とより小さい外側ライナ７０とを備える。同様に、第２の側部１６が、内側ライナ１８とより小さい外側ライナ７２とを備える。外側ライナ７０、７２は、図１、２に示す第１の実施形態と同様に第１および第２のハンドル３６、３８を備える。
【００２３】
図５の背面図に示すように、外側ライナ部７０、７２が中央部１２に接合される。第１の実施形態のように、内側ライナ１８は、乳児患者が内側ライナ１８上で支持されるときに乳児患者に快適な支持面を与える柔軟な発泡材料から形成される。図６に示すように、患者２４は中央部に沿って支持され、第１および第２の側部の内側ライナが患者２４を包む。図示しないが、種々のタイプの固定装置および材料を使用して、図示したように内側ライナ１８の両側を定位置に保持することができると考えられる。図示したように患者２４が内側ライナ１８内に包まれると、第１および第２の側部の外側ライナ部７０、７２を合わせて、図７に示すように、臨床医４４が片手４６で両ハンドルを掴むことができるようになっている。
【００２４】
図８は、図４および５の実施形態に示す患者移送装置１０を形成するために使用する構成および材料の断面図である。図示したように、患者移送装置１０は中央部１２を備える。中央部は第１の層７４を有し、この第１の層７４は、乳児患者が患者移送装置上で支持されるときに乳児患者に直接接触する内面７６を画定する。材料の第２の層７８が、取付点８０で第１の層７４に取り付けられる。図４に示すように、第２の層７８も第２の取付線８２で第１の層に取り付けられる。図８に示すように、第２の層７８は、一対の離間した取付線８０、８２間で第１の層７４に取り付けられず、開放ポケット６０を画定する。開放ポケット６０は、第１の端部から第２の端部まで患者移送装置１０の全長に沿って延びる。図４に示すように、背板６６をポケット６０内で取外し可能に受けることができる。
【００２５】
図８に示す実施形態では、発泡体８４の層が第１の層７４内に含まれて、患者移送装置１０により患者が支持されるときに、患者にさらなるクッション材を提供する。
【００２６】
図１および２に戻り、本開示の患者移送装置１０を使用する方法について次に説明する。本方法は、患者移送装置１０を使用する１つの好ましい方法として記載されているが、臨床医の必要に応じて、かつ患者２４に必要な所望の移動量に応じて、患者移送装置１０を異なる方法で使用してもよいことを理解されたい。
【００２７】
最初に、患者が保育器またはベッド内に置かれる前に、患者移送装置１０を保育器または患者のベッド内に位置させる。患者が臨床医により頻繁に移動される状況では、患者移送装置１０を保育器内に配置することができると考えられる。
【００２８】
患者移送装置１０が保育器内に配置されると、中央部１２の内層１８の外面８６に患者が置かれる。図示した実施形態では、内層１８が、患者の頭用のさらなるクッション材を含むヘッドレスト８８を備える。しかし、本開示の範囲内にありながら、ヘッドレスト８８はなくてもよい。
【００２９】
患者２４を移動させたいときに、臨床医はまず、中央部１２内の補強装置５８を取り付け、または作動させる。図２に示す実施形態では、補強装置５８が、中央部１２に形成された開放ポケット６０に挿入される背板６６である。本実施形態で背板６６が示されているが、本開示の範囲内にありながら、他のタイプの補強装置を使用してもよい。ベッドまたは保育器内で単に休ませる場合には、患者２４の快適性を高めるために補強装置５８を選択的に取り外すことができると望ましい。
【００３０】
前述したように、背板６６は、背板６６の縦方向長手軸に対して横方向に撓まないことが望ましい。背板６６が剛性で長手軸に対して横方向に撓まないことにより、搬送中の患者の背中および脊椎がさらに支持される。しかし、第１および第２の側部が患者の上に持ち上げられたときに、背板がわずかに曲がって患者の快適性を高めるように、背板６６が長手軸側にやや撓みやすくなっていることも望ましい。
【００３１】
補強装置５８が中央部１２に位置決めされると、第１の側部１４を画定する内層が上方に折り返されて、患者に接触する。第２の側部１６を画定する内層の一部は、定位置になると、折り返されて内層の両側に接触し、第１および第２のファスナ３４、３６が互いに係合して、図２に示す状態で内層を保持する。
【００３２】
第１の層が図２に示す状態に折り返されると、端部２６が上方に折り返されてファスナ３０に接触する。このとき、患者から出るワイヤおよびチューブが、押さえ装置５４を使用して第２の側部１６にしっかりと取り付けられる。図では押さえ装置５４が第２の側部１６に位置しているが、押さえ装置５４が第１の側部１４に位置していてもよく、または別個の押さえ装置が第１および第２の側部１４、１６のそれぞれに含まれていてもよいことを理解されたい。
【００３３】
ワイヤおよびチューブ５０、５２が押さえ装置５４により固定されると、第１のハンドル３６および第２のハンドル３８が互いに近くに位置するまで第１および第２の側部１４、１６が上方へ向けて互いに合わせられる。第１および第２のハンドルが互いに近くに位置すると、図４に示すように臨床医が片手４６でハンドルを掴むことができる。この位置にあるときに、背板６６が患者２４をしっかりと支持する。
【００３４】
この記載は、最良の形態を含む例を使用して本発明を開示し、さらに当業者が本発明を製造、使用できるようにするものである。本発明の特許可能な範囲は、特許請求の範囲により定義され、当業者が想到する他の例を含み得る。このような他の例は、特許請求の範囲の文言とは異ならない構造的要素を有する場合、または特許請求の範囲の文言と実質的な差のない等価な構造的要素を含む場合に、特許請求の範囲に含まれるものとする。
【符号の説明】
【００３５】
１０  患者移送装置
１２  中央部
１４  第１の側部
１６  第２の側部
１８  内側ライナ
２０  外側ライナ
２２  取付線
２４  患者
２６  端部
２８、３０  ファスナ
３２  内面
３４  ファスナ部
３６  第１のハンドル
３８  第２のハンドル
４０  外側ハウジング
４２  開放内部
４４  臨床医
４６  手
４８  ストラップ
５０  チューブ
５２  ワイヤ
５４  押さえ装置
５６  テープ
５８  補強装置
６０  ポケット
６２  第１の端部
６４  第２の端部
６６  背板
６８  矢印
７０、７２  外側ライナ
７４  第１の層
７６  内面
７８  第２の層
８０  取付点
８２  取付線
８４  発泡体
８６  外面
８８  ヘッドレスト
【図１】
2014004362.tif 000003
【図２】
2014004362.tif 000004
【図３】
2014004362.tif 000005
【図４】
2014004362.tif 000006
【図５】
2014004362.tif 000007
【図６】
2014004362.tif 000008
【図７】
2014004362.tif 000009
【図８】
2014004362.tif 000010